(57)【特許請求の範囲】
【請求項１】
血圧測定に際して生体の一部を圧迫するために円筒状に巻回される圧迫帯であって、
前記生体の血圧測定と同時に前記生体における心筋の活動電位に伴って発生する心電誘導波形を検出するための可撓性心電電極を内周面に有し、
該可撓性心電電極は、導電性を有する繊維が含まれる導電布から成り、前記圧迫帯の前記生体の一部に接触する内周面の一部に着脱可能に設けられていることを特徴とする血圧測定用圧迫帯。
【発明の詳細な説明】
【０００１】
【発明の属する技術分野】
本発明は、血圧測定に際して生体の一部に巻回される血圧測定用圧迫帯に関するものである。
【０００２】
【従来の技術】
生体の血圧値を測定する際には、その生体の動脈を圧迫する血圧測定用圧迫帯を生体の一部に巻回することにより、たとえば、その圧迫帯の徐速降圧過程において検出される脈拍同期波の振幅の変化に基づいてよく知られるオシロメトリック方式により血圧値を測定していた。また、生体の心電図を測定する際には、生体の一部に心電電極を装着することにより、その心電電極から検出される生体における心筋の活動電位に伴って発生する心電誘導波形に基づいて測定していた。
【０００３】
【発明が解決すべき課題】
ところが、上述のように、血圧測定の際には血圧測定用圧迫帯を用い、心電図を測定する際には心電電極を用いるというように、測定目的に応じて測定手段が使い分けられていると、患者への装着が非常に煩雑となり、装着に要する時間も増大するので、たとえば、救急医療現場などの迅速な装着が要求される場面での使用には不向きであった。
【０００４】
本発明は以上の事情を背景として為されたものであり、その目的とするところは、患者の心電誘導波形を検出する機能も併せ持つ血圧測定用圧迫帯を提供することにある。
【０００５】
【課題を解決するための手段】
かかる目的を達成するための本発明の要旨とするところは、血圧測定に際して生体の一部を圧迫するために円筒状に巻回される圧迫帯であって、前記生体の血圧測定と同時に前記生体における心筋の活動電位に伴って発生する心電誘導波形を検出するための可撓性心電電極を内周面に有し、その可撓性心電電極は、導電性を有する繊維が含まれる導電布から成り、前記圧迫帯の前記生体の一部に接触する内周面の一部に着脱可能に設けられていることを特徴とする。
【０００６】
【発明の効果】
このようにすれば、血圧測定に際して生体の一部に巻回される圧迫帯により、血圧測定と同時に前記心電誘導波形も検出されるため、患者への装着の煩わしさが好適に解消され、また、装着に要する時間も大幅に短縮されるので、緊急時にも好適に使用できるなど適用範囲が拡大される。また、心電電極は可撓性を備えているので、圧迫帯が動脈を圧迫する機能には何ら悪影響がなく、血圧測定精度は好適に維持される。また、可撓性心電電極が着脱可能であるので、表面の汚れが著しく安定した心電誘導波形の検出が困難となる時は簡単に交換することができる。
【０００９】
【発明の実施の形態】
以下、本発明の第１実施例を図面を参照しながら詳細に説明する。
【００１０】
図１は、本発明の一実施例である血圧測定用腕帯１０の一面を示す図である。また、図２は、図１のＩ−Ｉ視断面図であり、図３は、図１のＩＩ−ＩＩ視断面図である。腕帯１０は、長さ約５０ｃｍ、幅約１４ｃｍ、厚さ約１．５ｍｍ程度の帯状を成しており、一方の長辺１２には、圧力空気を給排するための給排管１４が、導電性を有する腕帯１０により検出される心電誘導波形を誘導するためのリード線１５が給配管１４内を通り抜けるようにして一体的に構成された状態で備えられている。腕帯１０は、血圧測定時に円筒状とされた際に外周側となる面を備えた外周側部材１６と内周側となる面を備えた内周側部材１８とが、図２の短辺方向断面に示すように、長辺１２側において外周側部材１６側に折り返された内周側部材１８の長辺１２に沿って形成された折り返し部２０において接着されると共に、その反対側の長辺２２側、両短辺２４、２６側にそれぞれ設けられたシール部２８、３０、３２において、熱圧着されることによって溶着されて閉じた袋状に形成されている。なお、本実施例においては、上記腕帯１０が血圧測定用圧迫帯に相当する。
【００１１】
上記折り返し部２０およびシール部２８、３０によって袋状とされた腕帯１０の内部空間３４には、上記の外周部材１６および内周部材１８よりは短い長さで略同幅寸法の膨張袋３６が備えられている。この膨張袋３６は、例えば高い引張強度と引張伸度を備え、表面にきわめて細かなエンボス加工がされたエチレン酢酸ビニル樹脂（組成は例えば酢酸ビニル１５〜２０％、ＬＤＰＥ〔ｌｉｎｅａｒ  ｌｏｗ−ｄｅｎｓｉｔｙ  ｐｏｌｙｅｔｈｙｌｅｎｅ  ：  線状低密度ポリエチレン〕８５〜８０％）から成る厚さ０．２ｍｍ程度のフィルムを、長辺１２側に沿って折り曲げ、上記短辺２４とは反対側に位置する短辺側に設けられたシール部３８において熱圧着によって溶着した後、上記の外周部材１６と内周部材１８との熱圧着時にシール部２８、３０において同時に熱圧着することにより、閉じた袋状に形成されている。なお、上記給排管１４は、膨張袋３６の長辺１２側となる折り返された端部に設けられた貫通穴４６に一端を挿し通して熱圧着によって膨張袋３６に固着されており、内周側部材１８に設けられた貫通孔４８を通して他端が外部に露出されている。したがって、膨張袋３６は、シール部２８、３０以外の部分例えば表面５０等は何ら拘束されていない。なお、本実施例においては、上記膨張袋３６を備えた図３の５２の範囲が膨張部であり、袋状とされた腕帯１０の一部が膨張可能にされている。
【００１２】
外周側部材１６は、内側から例えば厚さ０．０４ｍｍのポリエチレン樹脂から成る第一層５４、例えば中低圧ポリエチレン繊維が１０×１０／ｉｎｃｈの打ち込み密度で織られたクロスから成る第二層５６、例えば厚さ０．０４ｍｍのポリエチレン樹脂から成る第三層５８、および４０／２０の糸使いで目付けが６５ｇ／ｍ２  とされてループ状の繊維が一面に出ていると共に長手方向に波状の繊維を備えたナイロンパイルから成る外周層６０の、互いに密着した四層から構成されている。第一層５４および第二層５６は、血圧測定時に膨張袋３６が膨張させられて外周方向への圧力が生じた際にも外周側部材１６が破損しないように、その引張強度を高めるためのものである。
【００１３】
また、内周側部材１８は、例えばレーヨン３５％、ポリエステル３５％および炭素繊維３０％の混紡糸が６０ｇ／ｍ２  の目付けとされた厚さ０．５５ｍｍの不織布から成る内周層６２と、例えば厚さ０．０５ｍｍのポリエチレン樹脂から成る裏打ち層６４とが互いに密着させられた二層から構成される。したがって、外周側部材１６および内周側部材１８は、上記の長手方向に波状とされた繊維や不織布、密着積層されたポリエチレン層によって僅かな伸縮が可能に構成されており、しかも、内周側部材１８は、内周層６２に含まれる炭素繊維によって好適な導電性を有する可撓性の心電電極を構成している。
【００１４】
なお、上記リード線１５は、一端が内周側部材１８の内周層６２に固着されている。また、ファスナパッド６６は表面に多数の鉤状部を備えたものであり、血圧測定をするために短辺２４を基端として外周側部材１６が外側になるように生体の一部に巻回した際に、その外周側部材１６の外周層６０の波状の繊維に鉤状部の先端が引っ掛かることによって、腕帯１０が巻回状態で固定される。また、図２、図３は、腕帯１０の内部を説明するための図であって、各部の寸法比は必ずしも正確なものではない。
【００１５】
以上のように構成された腕帯１０は、血圧測定に際して図４に示されるように、生体の一部たとえば上腕部６８に、長辺２２を肩側に、給排管１４が固着された長辺１２を肘側にして、内周側部材１８が内側になるように短辺２４側から上腕部６８に巻回して用いられる。そして、腕帯１０の給排管１４は、圧力空気給排弁装置７２を介してポンプ７４に接続され、リード線１５は、腕帯１０により検出される心電誘導波形を心電信号として図示しない電子制御装置に出力する心電誘導装置７５に接続される。また、圧力空気給排弁装置７２、ポンプ７４、心電誘導装置７５は共に自動血圧測定装置７０に含まれる。なお、血圧値の測定工程は良く知られたものであると共に、本発明の理解には必ずしも必要ではないため説明を省略する。
【００１６】
上述のように、本実施例によれば、血圧測定に際して生体の一部に巻回される腕帯１０により、血圧測定と同時に前記心電誘導波形も検出されるため、患者への装着の煩わしさが好適に解消され、また、装着に要する時間も大幅に短縮されるので、緊急時にも好適に使用できるなど適用範囲が拡大される。さらに、腕帯１０は可撓性を備えているので、動脈の圧迫機能には何ら悪影響を及ぼさず、血圧測定精度が好適に維持される。また、腕帯１０は心電誘導波形検出機能を有しているにも関わらず、一体的に構成されたものであるので、取り扱いが容易であり血圧測定に支障を来さない。
【００１７】
また、本実施例の腕帯１０は、ナイロンパイル、不織布、ポリエチレン、エチレン酢酸ビニル樹脂から構成されているため、焼却した際に有害な燃焼ガスが殆ど発生しない。したがって、患者毎に腕帯１０の取り替えが望まれるような使用状況において、使い捨て用の腕帯として有用である。
【００１８】
次に、本発明の第２実施例について図面を参照して詳細に説明する。
【００１９】
図５は、血圧測定用腕帯８０を平面に展開した状態における外周面を示す図、図６は、腕帯６６を平面に展開した状態における内周面を示す図、図７は、図６のＩＩＩ  −ＩＩＩ  視断面図である。腕帯８０は、合成樹脂シートたとえば軟質塩化ビニルシート、ナイロンシートなどの可撓性を備えた帯状の外周側シート部材８２に、同様の形状の内周側シート部材８４が図２における破線の外側の領域において接着剤或いは高周波溶着などの手法によって接合されることにより構成されている。これにより、腕帯８０の長手方向の略半分には、接続筒８６を備えた膨張可能な気密な袋部８８が形成されている。なお、内周側シート部材８４上の接続筒８６近辺には、例えば、レーヨン３５％、ポリエステル３５％、および炭素繊維３０％の混紡糸が６０ｇ／ｍ２  の目付けとされた厚さ０．５５ｍｍの不織布から成る可撓性の導電布９０が、例えば、両面接着テープ９１により着脱可能に固定されており、導電布９０と内周側シート部材８４の間に、挟み込まれるようにしてリード線９２の一端が内周側シート部材８４に固着されている。したがって、導電布９０により検出される心電誘導波形がリード線９２を介して後述する自動血圧測定装置１０２へ誘導される。また、リード線９２は、接続筒８６から延長される給排管９４の管内を通り抜けるようにして一体的に構成されている。さらに、外周側シート部材８２に縫糸により固定されたファスナ９６および内周側シート部材８４に縫糸により固定されたファスナ９８は、腕帯８０をたとえば上腕に円筒状に巻回した状態で装着するために相互に着脱可能に接着されるものであり、一方には合成樹脂製の多数のフックが配列され、他方にはそのフックに掛け止められる多数のループ状繊維が配列されている。なお、本実施例においては、上記腕帯８０が血圧測定用圧迫帯に相当する。
【００２０】
以上のように構成された腕帯８０は、血圧測定に際して図８に示されるように、生体の一部たとえば上腕部１００に、接続筒８６が固着された側の長辺を肘側にして、内周側シート部材８４が内側になるようにファスナ９８が固定された側の短辺から上腕部１００に巻回して用いられる。そして、腕帯８０の接続筒８６から延長される給排管９４は、圧力空気給排弁装置１０４を介してポンプ１０６に接続され、リード線９２は、導電布９０により検出された心電誘導波形を心電信号として図示しない電子制御装置に出力する心電誘導装置１０８に接続される。また、圧力空気給排弁装置１０４、ポンプ１０６、および心電誘導装置１０８は、共に自動血圧測定装置１０２に含まれる。なお、血圧値の測定工程は良く知られたものであると共に、本発明の理解には必ずしも必要ではないため説明を省略する。
【００２１】
上述のように、本実施例によれば、血圧測定に際して生体の一部に巻回される腕帯８０により、血圧測定と同時に前記心電誘導波形も検出されるため、患者への装着の煩わしさが好適に解消され、また、装着に要する時間も大幅に短縮されるので、緊急時にも好適に使用できるなど適用範囲が拡大する。さらに、腕帯８０は可撓性を備えているので、動脈の圧迫機能には何ら悪影響を及ぼさず、血圧測定精度が好適に維持される。また、導電布９０は着脱可能に固定されているので、表面の汚れが著しくなり、安定した心電誘導波形を検出することが不可能となった時には簡単に交換することができる。
【００２２】
以上、本発明の一実施例を図面を参照して詳細に説明したが、本発明は更に別の態様でも実施される。
【００２３】
例えば、前述の第１実施例において、膨張袋３６は、シール部３８の近傍すなわち腕帯１０の中央部付近以外は、両面或いは一方の面が外周側部材１６或いは内周側部材１８に固着されていてもよく、また、外周側部材１６および内周側部材１８は、伸縮可能とされていなくともよい。また、内周層６２の一部だけが、炭素繊維を含む不織布から構成されることにより、腕帯１０の被測定者に接触する一部分だけが導電性を有していてもよい。
【００２４】
また、前述の第２実施例の腕帯８０においては、外周側シート部材８２の内周側全体に内周側シート部材８４が設けられていたが、たとえば袋部８８に対応する位置のみに局部的に設けられていてもよい。
【００２５】
また、前述の第１及び第２実施例において、リード線１５、９２は給排管１４、９４の管内を通り抜けるようにして一体的に構成されていたが、これ以外に、たとえば、リード線１５、９２が給配管１４、９４に巻きつけられることにより一体的に構成される構造など様々な構造がとられ得る。
【００２６】
その他、一々列挙はしないが、本発明はその主旨を逸脱しない範囲において種々変更が加えられ得るものである。
【図面の簡単な説明】
【図１】本発明の第１実施例である腕帯の一面を示す図である。
【図２】図１の腕帯のＩ−Ｉ視断面の構造を模式的に示す図である。
【図３】図１の腕帯のＩＩ−ＩＩ視断面の構造を模式的に示す図である。
【図４】図１の腕帯の使用状態を示す図である。
【図５】本発明の第２実施例である腕帯を平面に展開した状態における外周面を示す図である。
【図６】図１の腕帯を平面に展開した状態における内周面を示す図である。
【図７】図５のＩＩＩ  −ＩＩＩ  視断面図である。
【図８】図５の腕帯の使用状態を示す図である。
【符号の説明】
１０：血圧測定用腕帯（血圧測定用圧迫帯）
１４：給配管
１５：リード線
８０：血圧測定用腕帯（血圧測定用圧迫帯）
９０：導電布
９２：リード線
９４：給配管
【図１】
0003618155.tif 000002
【図２】
0003618155.tif 000003
【図３】
0003618155.tif 000004
【図４】
0003618155.tif 000005
【図５】
0003618155.tif 000006
【図６】
0003618155.tif 000007
【図７】
0003618155.tif 000008
【図８】
0003618155.tif 000009